(57)【要約】  【課題】  薄型表示装置を縦横に積み重ねて集合画面を構成する。  【解決手段】  薄型表示装置１の表示面側縁部３の四隅裏面にビス止め孔４〜７を形成しておき、薄型表示装置１Ａ〜１Ｄを上下左右方向に重ねながら、相隣接するビス孔４〜７の背面から上下および左右に渡したステー１５〜１７，１９〜２１を当接してビス止め固定することで、複数の薄型表示装置を集合させて表示することができる。さらに薄型表示装置１の背面部分にビス止め孔１１〜１４を形成しておき、薄型表示装置１Ａ〜１Ｄを上下左右方向に重ねながら、相隣接するビス孔４〜７の背面から当て部材３２〜３６を当接してビス止め固定するとともに、背面のビス止め孔１１〜１４に支柱２８〜３１を取付けることで、複数の薄型表示装置を集合させて表示することができる。【選択図】  図３
2005037630.tif 000002
【特許請求の範囲】
【請求項１】
剛性を有するキャビネットで覆われた薄型表示装置において、前記キャビネットの表示面側縁部の表面、または裏面には他の装置との固定用の、貫通または非貫通のビス止め孔を有することを特徴とする薄型表示装置。
【請求項２】
前面キャビネットと背面キャビネットで構成され、前記前面キャビネット及びまたは前記背面キャビネットが剛性を有するキャビネットで構成された薄型表示装置において、前記キャビネットの表示面側縁部の表面、または裏面には他の装置との固定用の、貫通または非貫通のビス止め孔を有することを特徴とする薄型表示装置。
【請求項３】
前記ビス止め孔は複数設けられ、該複数のビス止め孔は前記キャビネットの表示面側端面からの寸法が同一に設けられることを特徴とする請求項１または２のいずれかに記載の薄型表示装置。
【請求項４】
前記キャビネットの表示面側は矩形の外形をなし、前記ビス止め孔は４隅に設けられることを特徴とする請求項１乃至３のいずれかに記載の薄型表示装置。
【請求項５】
前記キャビネットの背面には薄型表示装置のスタンド取付用ビス止め孔、または薄型表示装置の壁掛け部材取付用ビス止め孔が設けられていることを特徴とする請求項１乃至請求項４のいずれかに記載の薄型表示装置。
【請求項６】
請求項１乃至５のいずれかに記載の薄型表示装置を上下及びまたは左右方向に複数台並べ、前記ビス止め孔位置に一致する止め孔を有する複数のステーを横方向、及びまたは縦方向に配置してビス止め固定することで多画面を構成することを特徴とする多画面取付け方法。
【請求項７】
請求項１乃至５のいずれかに記載の薄型表示装置を上下及びまたは左右方向に複数台並べ、前記ビス止め孔位置に一致する２個、または４個の止め孔を有する複数の当て部材を前記薄型表示装置の隅部裏面に配置してビス止め固定することで多画面を構成することを特徴とする多画面取付け方法。
【請求項８】
請求項１乃至５のいずれかに記載の薄型表示装置を上下及びまたは左右方向に複数台並べ、前記ビス止め孔位置に一致する止め孔を有する複数のステーを横方向、及びまたは縦方向に配置し、また前記ビス止め孔位置に一致する２個、または４個の止め孔を有する複数の当て部材を前記薄型表示装置の隅部裏面に配置してビス止め固定することで多画面を構成することを特徴とする多画面取付け方法。
【請求項９】
請求項５に記載の液晶表示装置を上下及びまたは左右方向に複数台並べ、前記スタンド取付用ビス止め孔、または壁掛け部材取付用ビス止め孔位置に一致する止め孔を有する複数のステーを横方向、及びまたは縦方向に配置してビス止め固定することで多画面を構成することを特徴とする多画面取付け方法。
【請求項１０】
請求項６乃至９のいずれかに記載のステー、及び当て部材は、板状または、ブロック状の部材であることを特徴とする多画面取付け方法。
【発明の詳細な説明】
【技術分野】
【０００１】
本発明は、複数の薄型表示装置を集合させて表示することのできる薄型表示装置の構造と、集合の際の多画面取付け方法に関する技術である。
【背景技術】
【０００２】
例えば、企業のショールームやイベントホールには、商品紹介やその他の情報提供のために、複数の表示装置を集合させて多画面表示を行う場合がある。また、近年では、１００以上ものチャンネルを有するデジタル多チャンネルテレビ放送も実用化されており、その番組紹介のためにも多画面表示が使用されることも多くなってきている。
ところで、顧客獲得のために不特定多数の消費者をターゲットとした情報提供を行う場合には、情報提供装置の搬送性や組み立て易さなどの機動性が重要なポイントとなり、組立式多画面表示装置として特許文献１などで提案がされている。特許文献１においては、組立式多画面表示装置は、各々液晶ディスプレイと、その液晶ディスプレイの表示画面の少なくとも一部が視認可能な状態で該液晶ディスプレイを保持する板状ホルダとを備えたディスプレイユニットが複数個用意され、それらが個々の表示画面を外部から視認できるように、取付ベース部に対して個別結合手段により着脱可能に取り付けられる組立式多画面表示装置の提案である。
【０００３】
【特許文献１】特開平１０−１９８２８６号公報
【発明の開示】
【発明が解決しようとする課題】
【０００４】
しかしながら、特許文献１においては、薄型表示装置を集合化するために専用の複数の取付けベース部が必要である。この取付けベース部は形状が複雑であるため製作コストがかさみ、また、この取付けベース部に薄型表示装置を取り付ける作業も、複雑で作業性が悪いという課題があった。そこで本発明は、薄型表示装置を集合化する際に用いる連結部材の構成を簡単にするとともに、その連結部材への薄型表示装置の取り付け作業を簡単にした薄型表示装置及び多画面取付け方法を提案することを目的とした。
【課題を解決するための手段】
【０００５】
本発明は、剛性を有するキャビネットで覆われた薄型表示装置において、前記キャビネットの表示面側縁部の表面または裏面には他の装置との固定用の貫通または非貫通のビス止め孔を有することを特徴とする。また本発明は、前面キャビネットと背面キャビネットで構成され、前記前面キャビネット及びまたは前記背面キャビネットが剛性を有するキャビネットで構成された薄型表示装置において、前記キャビネットの表示面側縁部の表面または裏面には他の装置との固定用の貫通または非貫通のビス止め孔を有することを特徴とする。なお、前記ビス止め孔は複数設けられ、該複数のビス止め孔は前記キャビネットの表示面側端面からの寸法が同一に設けられることを特徴とする。また、前記キャビネットの表示面側は矩形の外形をなし、前記ビス止め孔は４隅に設けられることを特徴とする。さらに、前記キャビネットの背面には薄型表示装置のスタンド取付用ビス止め孔または薄型表示装置の壁掛け部材取付用ビス止め孔が設けられていることを特徴とする。
ここで、本発明に係る多画面取付け方法は、前述の薄型表示装置を上下及びまたは左右方向に複数台並べ、前記ビス止め孔位置に一致する止め孔を有する複数のステーを横方向、及びまたは縦方向に配置してビス止め固定することで多画面を構成する。
また、本発明に係る多画面取付け方法は、前述の薄型表示装置を上下及びまたは左右方向に複数台並べ、前記ビス止め孔位置に一致する２個、または４個の止め孔を有する複数の当て部材を前記薄型表示装置の隅部裏面に配置してビス止め固定することで多画面を構成する。
また、本発明に係る多画面取付け方法は、前述の薄型表示装置を上下及びまたは左右方向に複数台並べ、前記ビス止め孔位置に一致する止め孔を有する複数のステーを横方向、及びまたは縦方向に配置し、また前記ビス止め孔位置に一致する２個、または４個の止め孔を有する複数の当て部材を前記薄型表示装置の隅部裏面に配置してビス止め固定することで多画面を構成する。
また、本発明に係る多画面取付け方法は、前述の薄型表示装置を上下及びまたは左右方向に複数台並べ、前記スタンド取付用ビス止め孔、または壁掛け部材取付用ビス止め孔位置に一致する止め孔を有する複数のステーを横方向、及びまたは縦方向に配置してビス止め固定することで多画面を構成する。
なお、これら多画面取付け方法で用いるステー及び当て部材は、板状またはブロック状の部材であることが好ましい。
【発明の効果】
【０００６】
以上述べたように本発明によれば、薄型表示装置の表示面側縁部の四隅裏面にビス止め孔を形成しておき、複数の薄型表示装置を上下左右方向に重ねながら、相隣接する前記ビス孔の背面から上下および左右に渡したステーを当接してビス止め固定することで、複数の薄型表示装置を集合させて表示することができる。
また、本発明によれば、同じく薄型表示装置の表示面側縁部の四隅裏面にビス止め孔を形成しておき、さらに背面部分にスタンド取付けまたは壁掛け取付け用のビス止め孔を形成しておき、複数の薄型表示装置を上下左右方向に重ねながら、相隣接する前記ビス孔の背面から当て部材を当接してビス止め固定するとともに、薄型表示装置背面のビス止め孔にスタンドまたは壁掛けを取付けることで、複数の薄型表示装置を集合させて表示することができる。
本発明では、これらのようにして薄型表示装置を集合させるため、組み立ておよび分解が簡単であるとともに、連結に用いられるのも簡単な形状のステーや当て部材であり低コストで調達できる。
【発明を実施するための最良の形態】
【０００７】
以下、図に基づいて本発明の実施形態を説明する。
図１は本発明で使用され薄型表示装置を示す背面図、側面図および正面図であり、図２は図１の薄型表示装置から背面のカバーを取り外した状態を示す背面図、側面図および正面図である。両図に示される薄型表示装置１は、前面の表示画面２の周囲を覆う板金製の前キャビネットと、後部の回路部を覆う板金製の後キャビネットとを前後方向に接合して構成されており、その接合部は、前面の表示画面２の部分の上下左右の周囲にフランジ状に突出した縁部分３である。
【０００８】
この縁部分３の四隅には、前後のキャビネットを接合する際に、キャビネットに孔を開けておいてその孔にナットを埋め込んだ状態でかしめることにより、前後方向のビス孔４〜７を形成している。このビス孔４〜７は、後方からビスがねじ込めればよいので、正面側は美観上塞いでおいても良い。薄型表示装置１の背面には、ケーブルの接続部を覆うカバー８が着脱自在に取り付けられている。同じく、薄型表示装置１の背面の中央部分には、スタンドに取り付けたり、壁掛けの際に使用するビス孔１１〜１４が形成されている。
【０００９】
図３は、図１に示した薄型表示装置１を上下左右に２個ずつ計４個を重ねた状態の第１の実施例を示す平面図、背面図、側面図である。組み立てる順序は、先ず、薄型表示装置１の横幅の２倍の長さよりやや長く、幅が縁部分３の２倍の平板の両端と中間にそれぞれ４個のビス挿通用の孔を開けたステー１５〜１７を用意する。同様に、薄型表示装置１の高さの２倍の長さよりやや長く、幅が縁部分３の２倍の平板の両端と中間にそれぞれ４個のビス挿通用の孔を開けたステー１９〜２１を用意する。次に、ステー１５〜１７を横に、ステー１９〜２１を縦にして田の字状に組み合わせて外周のビス止め孔などを使って仮止めする。
【００１０】
すると、薄型表示装置１の外形とほぼ同一の４個の枠が田の字状に形成される。この４個の枠内に、それぞれ薄型表示装置１を１個ずつ背面側から挿入して、ステー１５〜１７とステー１９〜２１の交差部の重なっているビス孔に背面からビスを挿通して、それぞれのビス孔４〜７に固定する。この状態で、最下段のステー１５をスタンド１８に乗せて固定することで、４個の薄型表示装置１を集合させることが可能となる。なお、図示しないが、これら薄型表示装置１を正面から見ると、互いの縁部分３の当接部は隙間なく密着している。
【００１１】
図４は、同じく、図１に示した薄型表示装置１を上下左右に２個ずつ計４個を重ねた状態の第２の実施例を示す平面図、背面図、側面図である。この図示例の図３と異なる点は、縦のステー２２〜２４として断面鍋蓋形状をした構造部材を用いたことであり、組み立てる順序は、図３の場合と同一である。この図示例の特徴は、縦のステー２２〜２４として断面鍋蓋形状をした構造部材を用いたことで、その分、剛性および強度が増したことである。
【００１２】
図５は、同じく、図１に示した薄型表示装置１を上下左右に２個ずつ計４個を重ねた状態の第３の実施例を示す平面図、背面図、側面図である。この図示例の図３と異なる点は、縦のステー２５〜２７として断面Ｈ形状をした構造部材を用いたことであり、組み立てる順序は、図３の場合と同一である。この図示例の特徴は、縦のステー２５〜２７として断面Ｈ形状をした構造部材を用いたことで、その分、剛性および強度が増したことである。
なお、図３乃至図５の組立て説明として枠を組立てて仮止めした後に薄型表示装置を嵌め込み固定する順にて説明したが、例えば縦方向のステー３本を先にスタンドに立て、下方から上方に向けて薄型表示装置の固定と横方向のステーの取り付けを交互に行って嵌め込みを行うことも可能であり、取付順は実施例の説明の順に限定されるものではない。
【００１３】
図６は、同じく、図１に示した薄型表示装置１Ａ〜１Ｄを上下左右に２個ずつ計４個を重ねた状態の第４の実施例を示す平面図、背面図、側面図である。この図示例では、スタンド１８に平板からなる支柱２８〜３１を立設する。この支柱２８〜３１は、薄型表示装置１Ａ〜１Ｄの各ビス孔１１〜１４の水平方向の位置に対応した間隔で配設されるとともに、各ビス孔１１〜１４の高さに対応した位置にビス挿通用の孔が開けられている。この支柱２８〜３１の前面に、薄型表示装置１Ａ〜１Ｄを下から順に当接しながら各々のビス孔１１〜１４に支柱２８〜３１の孔を合わせてビス止めする。
【００１４】
次に、薄型表示装置１Ａのビス孔５と薄型表示装置１Ｂのビス孔４に背面側から当て部材３２を押し当ててビス止めする。同じく、薄型表示装置１Ａのビス孔６と薄型表示装置１Ｃのビス孔４に背面側から当て部材３３を押し当ててビス止めする。同じく、薄型表示装置１Ｂのビス孔７と薄型表示装置１Ｄのビス孔５に背面側から当て部材３４を押し当ててビス止めする。同じく、薄型表示装置１Ｃのビス孔７と薄型表示装置１Ｄのビス孔６に背面側から当て部材３５を押し当ててビス止めする。
【００１５】
次に、中心部分となる薄型表示装置１Ａのビス孔７と薄型表示装置１Ｂのビス孔６と薄型表示装置１Ｃのビス孔５と薄型表示装置１Ｄのビス孔４とに背面側から当て部材３６を押し当ててビス止めする。このようにして薄型表示装置１Ａ〜１Ｄを組み立てた場合は、初めに支柱２８〜３１に薄型表示装置１Ａ〜１Ｄを取り付けてから、当て部材３２〜３６を取り付けるようにしたため、組立作業が容易になる。また、正面から見た場合に、薄型表示装置１Ａ〜１Ｄの縁部分３の外側に、ステー等がはみ出さないため、美観にすぐれる。
【００１６】
図７は、図６で用いられた当て部材３２〜３５を示す図である。当て部材３２〜３６は、縦が縁部分３の幅の２倍の長さで、横が縁部分３の幅と同じ長さの板材からなり、２個のビス挿通用の孔３７が開けられている。図８は、図６で用いられた当て部材３６を示す図である。当て部材３６は、縦および横が縁部分３の幅の２倍の長さの正方形の板材からなり、４個のビス挿通用の孔３８が開けられている。
【００１７】
図９は、同じく、図１に示した薄型表示装置１Ａ〜１Ｄを上下左右に２個ずつ計４個を重ねた状態の第５の実施例を示す平面図、背面図、側面図である。この図示例の図６と異なる点は、支柱４１〜４４として断面矩形の角パイプを用いたことであり、組み立てる順序は、図６の場合と同一である。この図示例の特徴は、支柱４１〜４４に角パイプを用いたことでその分軽量になることである。なお上述の各図示例では、薄型表示装置１を上下左右に４個組み合わせていたが、さらに増やして６個、９個、１２個、１５個、１６個等の任意の縦横数の組み合わせで構成することも可能である。
なお、本実施形態の説明において、前キャビネットと後キャビネットを共に板金製として説明したが、どちらか一方のみを板金で構成し、他方をプラスチックで構成することも可能である。
【産業上の利用可能性】
【００１８】
本発明は、企業のショールームやイベントホールの商品紹介やその他の情報提供のための画面表示、及びデジタル多チャンネルテレビ放送における多画面表示等、複数の薄型表示装置を集合させて表示することのできる薄型表示装置に利用することができる。
【図面の簡単な説明】
【００１９】
【図１】本発明に係る薄型表示装置を示す背面図、側面図および正面図である。
【図２】図１の薄型表示装置から背面のカバーを取り外した状態を示す背面図、側面図および正面図である。
【図３】図１の薄型表示装置を上下左右に重ねた第１の実施例を示す平面図、背面図、側面図である。
【図４】図１の薄型表示装置を上下左右に重ねた第２の実施例を示す平面図、背面図、側面図である。
【図５】図１の薄型表示装置を上下左右に重ねた第３の実施例を示す平面図、背面図、側面図である。
【図６】図１の薄型表示装置を上下左右に重ねた第４の実施例を示す平面図、背面図、側面図である。
【図７】図６で用いられた当て部材を示す平面図および側面図である。
【図８】図６で用いられた当て部材を示す平面図および側面図である。
【図９】図１の薄型表示装置を上下左右に重ねた第５の実施例を示す平面図、背面図、側面図である。
【符号の説明】
【００２０】
１  薄型表示装置
１Ａ〜１Ｄ  薄型表示装置
２  表示画面
３  縁部分
４〜７  ビス孔
８  カバー
１１〜１４  ビス孔
１５〜１７  ステー
１８  スタンド
１９〜２７  ステー
２８〜３１  支柱
３２〜３６  当て部材
３７，３８  ビス挿通用の孔
４１〜４４  支柱
【図１】
2005037630.tif 000003
【図２】
2005037630.tif 000004
【図３】
2005037630.tif 000005
【図４】
2005037630.tif 000006
【図５】
2005037630.tif 000007
【図６】
2005037630.tif 000008
【図７】
2005037630.tif 000009
【図８】
2005037630.tif 000010
【図９】
2005037630.tif 000011